(57)【特許請求の範囲】
【請求項１】
カルテ情報表示画面を表示する表示手段と、
前記カルテ情報表示画面において検査項目を指定するための操作手段と、
前記指定された検査項目に対応する検査画像の画像データを取り込む取り込み手段と、
前記操作手段により前記カルテ情報表示画面上のカルテ情報を入力するためのカルテ情報入力画面内に前記検査項目を指定した場合に、前記取り込み手段を前記画像データの取り込みの待機状態とさせ、前記取り込み手段により前記画像データが取り込まれた場合に、当該取り込まれた画像データを前記カルテ情報表示画面に表示されているカルテ情報と対応付けて記憶手段に記憶させる制御手段と、
を備える医用情報処理装置。
【請求項２】
前記制御手段は、前記取り込み手段により前記画像データが取り込まれた場合に、当該取り込まれた画像データに基づいて検査画像を前記表示手段に表示させる、
請求項１に記載の医用情報処理装置。
【請求項３】
前記検査項目には、医事会計システムにおいて薬価が付与されている、
請求項１又は２に記載の医用情報処理装置。
【請求項４】
前記操作手段は、前記検査項目を前記カルテ情報入力画面にドラッグ＆ドロップすることによって前記検査項目を指定する、
請求項１〜３のいずれか一項に記載の医用情報処理装置。
【請求項５】
前記記憶手段には、複数の検査項目について、各検査項目と当該検査項目の検査に用いる検査装置とを対応付けた対応テーブルが記憶されている、
請求項１〜４のいずれか一項に記載の医用情報処理装置。
【発明の詳細な説明】
【技術分野】
【０００１】
本発明は、医用情報処理装置に関する。
【背景技術】
【０００２】
近年、医療の分野では、患者を撮影して得られる検査画像や医師の診察による診療録（カルテ）のデジタル化が進んでいる。検査画像を参照しながらカルテ情報を作成する場合には、カルテ情報を表示するカルテ情報表示画面と、検査画像を表示するための検査画像表示画面と、が並べられて表示される。
【０００３】
検査画像の参照を伴うカルテ情報の作成において、検査画像表示画面に表示されている検査画像をカルテ情報表示画面内にドラッグ＆ドロップして貼りつける場合がある。この際、異なる患者のデータ同士が混じってしまうのを防ぐために、検査画像に付帯されている患者情報と、カルテ情報表示画面に表示されているカルテ情報の患者情報との整合性をチェックする医用画像システムが提案されている（特許文献１参照）。
【０００４】
また、診療所等の小規模の医療施設では、検査画像表示画面（画像ビューアー画面）が、ＣＲ（Computed Radiography）等のモダリティーに対するコンソール画面を兼ねている場合が多い。つまり、医師が使用するＰＣ（Personal Computer）上で、モダリティーにおいて生成された検査画像の画像データが取り込まれ、取り込まれた画像データに基づいて、検査画像が検査画像表示画面に表示される。
【０００５】
この場合、まず、操作画面上において、患者に対して行われる検査の検査項目が指定される。そして、指定された検査項目に対応するモダリティーの取り込みボタンが押下されると、モダリティーからの検査画像の画像データの取り込みの待機状態となる。モダリティーにおいて検査画像の画像データが生成されると、生成された画像データが診断対象患者の画像データとしてＰＣに取り込まれる。
【０００６】
一方、大病院では、通常、患者と対面した医師が検査オーダーを出し、この検査オーダーに従って、検査室で技師が患者の撮影を行う。撮影後、検査画像の画像データは、患者情報等と対応付けられて保存される。
【先行技術文献】
【特許文献】
【０００７】
【特許文献１】特開２００９−２１１６４７号公報
【発明の概要】
【発明が解決しようとする課題】
【０００８】
しかしながら、診療所等の小規模の医療施設では、一人の医師が患者の診察を行い、検査を行う場合が多いため、ある患者について検査が指定されてから検査画像の画像データが取り込まれるまでの間に、他の患者が割り込むことは少ない。そのため、検査画像の画像データを他の患者のデータとして誤って取り込んでしまうおそれはなかった。
ところが、現状では、小規模の医療施設においても、患者に対して行われる検査の検査項目が指定された場合に、指定された検査項目に対応するモダリティーからの取り込み操作を行わなければならず、ユーザーは煩雑な作業を強いられていた。
【０００９】
本発明は、上記の従来技術における問題に鑑みてなされたものであって、検査画像の画像データの取り込みにおける操作性を向上させることを課題とする。
【課題を解決するための手段】
【００１０】
上記課題を解決するために、請求項１に記載の発明は、カルテ情報表示画面を表示する表示手段と、前記カルテ情報表示画面において検査項目を指定するための操作手段と、前記指定された検査項目に対応する検査画像の画像データを取り込む取り込み手段と、前記操作手段により前記カルテ情報表示画面上のカルテ情報を入力するためのカルテ情報入力画面内に前記検査項目を指定した場合に、前記取り込み手段を前記画像データの取り込みの待機状態とさせ、前記取り込み手段により前記画像データが取り込まれた場合に、当該取り込まれた画像データを前記カルテ情報表示画面に表示されているカルテ情報と対応付けて記憶手段に記憶させる制御手段と、を備える医用情報処理装置である。
【００１１】
請求項２に記載の発明は、請求項１に記載の医用情報処理装置において、前記制御手段は、前記取り込み手段により前記画像データが取り込まれた場合に、当該取り込まれた画像データに基づいて検査画像を前記表示手段に表示させる。
請求項３に記載の発明は、請求項１又は２に記載の医用情報処理装置において、前記検査項目には、医事会計システムにおいて薬価が付与されている。
請求項４に記載の発明は、請求項１〜３のいずれか一項に記載の医用情報処理装置において、前記操作手段は、前記検査項目を前記カルテ情報入力画面にドラッグ＆ドロップすることによって前記検査項目を指定する。
請求項５に記載の発明は、請求項１〜４のいずれか一項に記載の医用情報処理装置において、前記記憶手段には、複数の検査項目について、各検査項目と当該検査項目の検査に用いる検査装置とを対応付けた対応テーブルが記憶されている。
【発明の効果】
【００１２】
本発明によれば、検査画像の画像データの取り込みにおける操作性を向上させることができる。
【図面の簡単な説明】
【００１３】
【図１】データ管理システムのシステム構成図である。
【図２】データ管理サーバーの機能的構成を示すブロック図である。
【図３】端末装置の機能的構成を示すブロック図である。
【図４】端末装置において実行される処理を示すフローチャートである。
【図５】検査項目を指定する際の医用情報表示画面の例である。
【図６】画像データの取り込み中の医用情報表示画面の例である。
【図７】画像データを取り込んだ後の医用情報表示画面の例である。
【発明を実施するための形態】
【００１４】
以下、本発明に係る医用情報処理装置の一実施の形態について説明する。
【００１５】
〔データ管理システムの構成〕
図１に、本発明に係る医用情報処理装置としての端末装置４Ａ，４Ｂ，・・・を含むデータ管理システム１００のシステム構成を示す。
図１に示すように、データ管理システム１００は、地域のデータセンターに設置されたデータ管理サーバー１と、医療施設Ａに設けられた施設内システム２Ａと、医療施設Ｂに設けられた施設内システム２Ｂと、・・・を備えて構成されている。データ管理サーバー１、施設内システム２Ａ、施設内システム２Ｂ、・・・は、インターネット等の通信ネットワークＮを介してデータ通信可能に接続されている。
【００１６】
データ管理サーバー１は、各医療施設において生成された検査画像の画像データを蓄積し管理する。また、データ管理サーバー１は、医療施設間の医療連携サービスを提供するものであり、各施設内システム２Ａ，２Ｂ，・・・から他の施設内システムにおける検査や読影の依頼を受け付け、検査結果や読影結果のデータを管理する。
【００１７】
施設内システム２Ａは、医事会計システム３Ａ、端末装置４Ａ、検査装置５Ａ及びルーター６Ａを備え、医事会計システム３Ａ、端末装置４Ａ及びルーター６Ａは、ＬＡＮ（Local Area Network）等の施設内ネットワーク７Ａにより相互にデータ通信可能に接続されて構成されている。施設内システム２Ａを構成する装置のうち、少なくとも端末装置４Ａは、ルーター６Ａにより通信ネットワークＮを介してデータ管理サーバー１とデータ通信可能に接続されている。
【００１８】
施設内システム２Ｂは、医事会計システム３Ｂ、端末装置４Ｂ、検査装置５Ｂ及びルーター６Ｂを備え、医事会計システム３Ｂ、端末装置４Ｂ及びルーター６Ｂは、ＬＡＮ等の施設内ネットワーク７Ｂにより相互にデータ通信可能に接続されて構成されている。施設内システム２Ｂを構成する装置のうち、少なくとも端末装置４Ｂは、ルーター６Ｂにより通信ネットワークＮを介してデータ管理サーバー１とデータ通信可能に接続されている。
【００１９】
なお、データ管理システム１００を構成する施設内システム２Ａ，２Ｂ等の施設内システム、各施設内システムの各装置の数は、特に限定されない。
また、データ管理システム１００における通信方式としては、一般的に、ＤＩＣＯＭ（Digital Image and Communications in Medicine）規格が用いられており、各装置間の通信では、ＤＩＣＯＭ  ＭＷＭ（Modality Worklist Management）やＤＩＣＯＭ  ＭＰＰＳ（Modality Performed Procedure Step）が用いられる。
【００２０】
〔データ管理サーバーの構成〕
図２に、データ管理サーバー１の機能的構成を示す。
図２に示すように、データ管理サーバー１は、制御部１１、操作部１２、表示部１３、通信部１４、ＲＡＭ１５、記憶部１６等を備えて構成されており、各部はバス１７により接続されている。
【００２１】
制御部１１は、ＣＰＵ（Central Processing Unit）等から構成され、データ管理サーバー１の各部の処理動作を統括的に制御する。具体的には、ＣＰＵは、操作部１２から入力される操作信号又は通信部１４により受信される指示信号に応じて、記憶部１６に記憶されている各種処理プログラムを読み出してＲＡＭ１５に展開し、当該プログラムとの協働により各種処理を行う。
【００２２】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００２３】
表示部１３は、ＬＣＤ（Liquid Crystal Display）等のモニターを備えて構成されており、制御部１１から入力される表示信号の指示に従って、各種画面を表示する。
【００２４】
通信部１４は、ネットワークインターフェース等により構成され、通信ネットワークＮを介して接続された外部機器との間でデータの送受信を行う。
【００２５】
ＲＡＭ１５は、制御部１１により実行制御される各種処理において、記憶部１６から読み出された各種プログラム、入力若しくは出力データ、及びパラメーター等を一時的に記憶するワークエリアを形成する。
【００２６】
記憶部１６は、ＨＤＤ（Hard Disk Drive）や不揮発性メモリー等により構成され、各種処理プログラム、当該プログラムの実行に必要なパラメーターやファイル等を記憶している。具体的に、記憶部１６には、サーバープログラムＰ１、センターＤＢ（DataBase）１６１、アプリケーションプログラムＰ２等が記憶されている。
【００２７】
サーバープログラムＰ１は、データ管理サーバー１におけるデータ管理処理、アプリケーションプログラムＰ２や医療連携サービスを提供する処理等を実行するためのプログラムである。
【００２８】
センターＤＢ１６１には、各医療施設Ａ，Ｂ，・・・の端末装置４Ａ，４Ｂ，・・・から送信された患者基本情報、カルテ情報、検査画像の画像データ等が格納されている。
【００２９】
患者基本情報は、患者に関する情報であり、患者ＩＤ、患者氏名、年齢、性別、生年月日、受診日時等を含む。患者基本情報は、各医療施設Ａ，Ｂ，・・・の端末装置４Ａ，４Ｂ，・・・が医事会計システム３Ａ，３Ｂ，・・・から取得したものである。
カルテ情報は、各医療施設Ａ，Ｂ，・・・における患者の診療の経過を示す情報であり、病名、検査内容、処方情報等を含む。カルテ情報は、複数の患者毎、受診毎に作成される。
検査画像の画像データは、各医療施設Ａ，Ｂ，・・・において患者を検査して得られた画像データである。検査画像の画像データは、ＤＩＣＯＭ規格に則ったＤＩＣＯＭファイル形式で保存されており、患者ＩＤ、検査ＩＤ、患者氏名、検査日時、モダリティー等の付帯情報が付帯されている。
【００３０】
アプリケーションプログラムＰ２は、施設内システム２Ａ，２Ｂ，・・・の端末装置４Ａ，４Ｂ，・・・からデータ管理サーバー１にアクセスがあった場合に、必要に応じてダウンロードされるＳａａＳ（Software as a Service）型アプリケーションである。アプリケーションプログラムＰ２は、端末装置４Ａ，４Ｂ，・・・において、電子カルテ作成機能、画像ビューアー機能等を実現させるためのプログラムである。
【００３１】
制御部１１は、通信部１４により、端末装置４Ａ，４Ｂ，・・・から患者基本情報、カルテ情報、検査画像の画像データ等を受信すると、受信された患者基本情報、カルテ情報、検査画像の画像データ等を記憶部１６のセンターＤＢ１６１に格納する。
【００３２】
制御部１１は、データ管理システム１００内の各医療施設から他の医療施設への検査依頼や読影依頼等を受け付け、他の医療施設に対して検査依頼や読影依頼等を通知する。また、制御部１１は、当該他の医療施設から検査依頼に応じて行われた検査に係る検査データや、読影依頼に応じて行われた読影に係るレポートデータ等を取得し、依頼元の医療施設へ提供する。
【００３３】
〔施設内システムの構成〕
次に、施設内システム２Ａを構成する各装置について説明する。
医事会計システム３Ａは、制御部、操作部、表示部、通信部、ＲＡＭ、記憶部等を備えたコンピューター装置であり、会計計算、保険点数計算等を行う。
【００３４】
端末装置４Ａは、電子カルテを作成する場合、検査装置５Ａから検査画像の画像データを取り込む場合、検査画像を参照する場合等に用いられる。
【００３５】
図３に、端末装置４Ａの機能的構成を示す。
図３に示すように、端末装置４Ａは、制御部４１、操作部４２、表示部４３、通信部４４、ＲＡＭ４５、記憶部４６、Ｉ／Ｆ４７等を備えて構成されており、各部はバス４８により接続されている。
【００３６】
制御部４１は、ＣＰＵ等から構成され、端末装置４Ａの各部の処理動作を統括的に制御する。具体的には、ＣＰＵは、操作部４２から入力される操作信号又は通信部４４により受信される指示信号に応じて、記憶部４６に記憶されている各種処理プログラムを読み出してＲＡＭ４５に展開し、当該プログラムとの協働により各種処理を行う。
【００３７】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。例えば、操作部４２は、カルテ情報表示画面において検査項目を指定する際に用いられる。
【００３８】
表示部４３は、ＬＣＤ等のモニターを備えて構成されており、制御部４１から入力される表示信号の指示に従って、各種画面を表示する。例えば、表示部４３は、同一患者に関するカルテ情報表示画面及び検査画像表示画面を表示する。
【００３９】
通信部４４は、ネットワークインターフェース等により構成され、施設内ネットワーク７Ａや通信ネットワークＮを介して接続された外部機器との間でデータの送受信を行う。
【００４０】
ＲＡＭ４５は、制御部４１により実行制御される各種処理において、記憶部４６から読み出された各種プログラム、入力若しくは出力データ、及びパラメーター等を一時的に記憶するワークエリアを形成する。
【００４１】
記憶部４６は、ＨＤＤや不揮発性メモリー等により構成され、各種処理プログラム、当該プログラムの実行に必要なパラメーターやファイル等を記憶している。具体的に、記憶部４６には、アプリケーションプログラムＰ２等が記憶される。
【００４２】
また、記憶部４６には、検査−装置対応テーブルＴ１が記憶されている。検査−装置対応テーブルＴ１は、複数の検査項目について、各検査項目と当該検査項目の検査に用いる検査装置５Ａとを対応付けたテーブルである。
【００４３】
また、記憶部４６には、端末装置４Ａにおいて入力されたカルテ情報や、検査装置５Ａから取得された検査画像の画像データが記憶される。
【００４４】
Ｉ／Ｆ４７は、検査装置５Ａにおいて患者を撮影して得られた検査画像の画像データを取り込む取り込み手段である。
【００４５】
制御部４１は、アプリケーションプログラムＰ２との協働により、操作部４２によりカルテ情報表示画面において検査項目が指定された場合に、記憶部４６に記憶されている検査−装置対応テーブルＴ１を参照して、指定された検査項目に対応する検査装置５Ａを特定する。制御部４１は、特定された検査装置５Ａに対して、Ｉ／Ｆ４７を介して検査オーダーを送信し、Ｉ／Ｆ４７を画像データの取り込みの待機状態とさせる。検査オーダーには、検査対象患者の氏名、性別、年齢、身長、体重等の患者情報、撮影部位、撮影方向等の検査条件等が含まれる。
【００４６】
制御部４１は、Ｉ／Ｆ４７により検査装置５Ａから画像データが取り込まれた場合に、取り込まれた画像データを、カルテ情報表示画面に表示されているカルテ情報と対応付けて記憶部４６に記憶させる。
制御部４１は、Ｉ／Ｆ４７により検査装置５Ａから画像データが取り込まれた場合に、取り込まれた画像データに基づいて検査画像を表示部４３の検査画像表示画面に表示させる。
【００４７】
制御部４１は、Ｉ／Ｆ４７により検査装置５Ａから画像データが取り込まれた場合に、取り込まれた画像データを間引いて間引き画像データを生成し、当該間引き画像データに基づいてサムネイル画像をカルテ情報表示画面に表示させる。
制御部４１は、間引き画像データを、カルテ情報表示画面に表示されているカルテ情報と対応付けて記憶部４６に記憶させる。
【００４８】
制御部４１は、通信部４４を制御して、記憶部４６に記憶されたカルテ情報、検査画像の画像データ及び間引き画像データを、データ管理サーバー１が備えるセンターＤＢ１６１に記憶させるために、データ管理サーバー１に送信させる。
【００４９】
検査装置５Ａは、患者の診断対象部位を被写体として撮影を行い、撮影した画像をデジタル変換して検査画像の画像データを生成する。検査装置５Ａとして、ＣＲ（Computed Radiography）、ＣＴ（Computed Tomography）、ＭＲＩ（Magnetic Resonance Imaging）等が挙げられる。
なお、端末装置４Ａに接続される検査装置５Ａは一つでも複数でもよく、その数は限定されない。
【００５０】
施設内システム２Ａ以外の施設内システム２Ｂ等についても、施設内システム２Ａと同様の構成であるため、説明を省略する。
【００５１】
〔データ管理システムにおける動作〕
次に、データ管理システム１００における動作について説明する。
図４は、端末装置４Ａにおいて実行される処理を示すフローチャートである。この処理は、制御部４１と記憶部４６に記憶されているアプリケーションプログラムＰ２との協働によるソフトウェア処理によって実現される。
【００５２】
まず、制御部４１により、カルテ情報表示画面と検査画像表示画面とを含む医用情報表示画面が表示部４３に表示される（ステップＳ１）。
【００５３】
図５に、表示部４３に表示される医用情報表示画面４３１の例を示す。
医用情報表示画面４３１には、カルテ情報表示画面８１、検査画像表示画面８２等が含まれる。
カルテ情報表示画面８１には、前回カルテ情報表示画面８３、カルテ情報入力画面８４、スタンプ箱８５等が含まれる。前回カルテ情報表示画面８３には、前回のカルテ情報が表示される。カルテ情報入力画面８４は、今回のカルテ情報を入力するための画面である。スタンプ箱８５には、複数のカテゴリー毎に、診療行為や処方等のスタンプ（医事会計システム３Ａにおいて薬価が付与されたアイテム）が選択可能に表示される。スタンプ箱８５の各タブが各カテゴリーを表している。スタンプ箱８５から各スタンプをカルテ情報入力画面８４上にドラッグ＆ドロップすることにより、頻繁に用いる検査の検査項目や処方内容を指定することができる。
検査画像表示画面８２には、カルテ情報表示画面８１にカルテ情報が表示されている患者と同一の患者について、検査装置５Ａから取り込まれた検査画像の画像データに基づいて、検査画像が表示される。
【００５４】
次に、制御部４１により、カルテ情報表示画面において、ユーザーの操作部４２からの操作により、検査項目が指定されたか否かが判断される（ステップＳ２）。具体的には、図５に示す医用情報表示画面４３１のカルテ情報表示画面８１において、スタンプ箱８５からいずれかの検査項目に対応するスタンプが選択され、カルテ情報入力画面８４へドラッグ＆ドロップされることにより、検査項目が指定される。
【００５５】
カルテ情報表示画面において、検査項目が指定された場合には（ステップＳ２；ＹＥＳ）、制御部４１により、記憶部４６に記憶されている検査−装置対応テーブルＴ１が参照され、指定された検査項目に対応する検査装置５Ａが特定される。そして、制御部４１により、特定された検査装置５Ａに対して、Ｉ／Ｆ４７を介して検査オーダーが送信され（ステップＳ３）、Ｉ／Ｆ４７が検査画像の画像データの取り込みの待機状態とされる（ステップＳ４）。
【００５６】
例えば、図５に示すように、スタンプ箱８５の放射線タブ８６に含まれる「単純撮影（デジタル撮影）」を示すスタンプ８７がカルテ情報入力画面８４へドラッグ＆ドロップされると、カルテ情報入力画面８４内に「放射線（単純撮影（デジタル撮影））」の検査内容表示領域８８が追加され、「単純撮影（デジタル撮影）×１枚」「電子画像管理加算（単純撮影）」が表示される。また、医用情報表示画面４３１内のＣＲ装置（検査装置５Ａ）からの取り込みボタンＢ１が押下された状態となる。取り込みボタンＢ１は、ＣＲ装置から送信される検査画像の画像データを現在診断対象となっている患者（カルテ情報表示画面８１にカルテ情報が表示されている患者）の画像として取り込むことを指示するためのボタンである。
【００５７】
検査装置５Ａでは、検査オーダーに基づいて患者の撮影が行われ、検査画像の画像データが生成される。そして、検査装置５Ａから端末装置４Ａに画像データが送信される。
【００５８】
検査装置５Ａから画像データが受信されない場合には（ステップＳ５；ＮＯ）、ステップＳ４に戻り、画像データの取り込みの待機状態が継続する。
【００５９】
検査装置５Ａから画像データが受信された場合には（ステップＳ５；ＹＥＳ）、Ｉ／Ｆ４７により、検査装置５Ａから画像データが取り込まれる（ステップＳ６）。取り込まれた画像データは、制御部４１により、ＲＡＭ４５に格納される。
【００６０】
図６に、検査装置５Ａから画像データの取り込み中に表示部４３に表示される医用情報表示画面４３２の例を示す。検査画像表示画面８２の取り込み状況表示領域８９に、画像データが取り込まれた割合が表示される。
【００６１】
次に、制御部４１により、検査装置５Ａから取り込まれた画像データに基づいて、検査画像が検査画像表示画面に表示される（ステップＳ７）。
【００６２】
次に、制御部４１により、検査装置５Ａから取り込まれた画像データが間引かれ、間引き画像データが生成される（ステップＳ８）。生成された間引き画像データは、制御部４１により、ＲＡＭ４５に格納される。
【００６３】
次に、制御部４１により、間引き画像データに基づいて、サムネイル画像がカルテ情報表示画面に表示される（ステップＳ９）。
【００６４】
図７に、表示部４３に表示される医用情報表示画面４３３の例を示す。検査画像表示画面８２には、検査装置５Ａから取り込まれた画像データに基づく検査画像が表示される。カルテ情報表示画面８１のカルテ情報入力画面８４内に、サムネイル画像表示領域９０が追加され、サムネイル画像表示領域９０に間引き画像データに基づくサムネイル画像が表示される。
【００６５】
次に、制御部４１により、検査装置５Ａから取り込まれた検査画像の画像データ、及び、ステップＳ８において生成された間引き画像データが、カルテ情報表示画面に表示されているカルテ情報と対応付けられて記憶部４６に記憶される（ステップＳ１０）。
【００６６】
ユーザーの操作部４２からの操作により、カルテ情報の確定が指示されると、制御部４１により、通信部４４を介して、検査画像の画像データ及び間引き画像データが、カルテ情報と対応付けられてデータ管理サーバー１に送信される（ステップＳ１１）。
【００６７】
データ管理サーバー１では、通信部１４により、端末装置４Ａから検査画像の画像データ、間引き画像データ及びカルテ情報が受信され、制御部１１により、画像データ及び間引き画像データが、カルテ情報と対応付けられて記憶部１６のセンターＤＢ１６１に格納される。
カルテ情報が参照される際には、カルテ情報表示画面内にサムネイル画像が表示され、サムネイル画像がクリックされると、高解像度・高精細画像（間引かれる前の画像データに基づく検査画像）が表示される。
【００６８】
ステップＳ２において、検査項目が指定されない場合（ステップＳ２；ＮＯ）、又は、ステップＳ１１の後、端末装置４Ａにおいて実行される処理が終了する。
【００６９】
なお、ここでは、端末装置４Ａにおける処理について説明したが、端末装置４Ｂにおいても同様の処理が行われる。
【００７０】
以上説明したように、本実施の形態によれば、カルテ情報表示画面において検査項目を指定することで、指定された検査項目に対応する検査装置５Ａ，５Ｂ，・・・からの検査画像の画像データの取り込みの待機状態となるので、従来のように、画像データの取り込み対象となる検査装置５Ａ，５Ｂ，・・・に対応する取り込みボタンを押下する等の操作が不要となる。
【００７１】
また、検査画像の画像データの取り込みの待機状態において、画像データが取り込まれた場合に、取り込まれた画像データがカルテ情報表示画面に表示されているカルテ情報と対応付けられて記憶部４６に記憶される（また、カルテ情報が確定された場合には、データ管理サーバー１のセンターＤＢ１６１に格納される）ので、検査画像の画像データの取り込みにおける操作性を向上させることができる。
【００７２】
また、検査画像の画像データの取り込みの待機状態において、画像データが取り込まれた場合に、取り込まれた画像データに基づいて検査画像を検査画像表示画面に表示させるので、ユーザーは、検査画像を参照することができる。
【００７３】
なお、上記実施の形態における記述は、本発明に係る医用情報処理装置の例であり、これに限定されるものではない。装置を構成する各部の細部構成及び細部動作に関しても本発明の趣旨を逸脱することのない範囲で適宜変更可能である。
【００７４】
例えば、上記実施の形態では、カルテ情報表示画面８１と検査画像表示画面８２とが同一の画面（医用情報表示画面４３１〜４３３）内に含まれる場合について図示したが、カルテ情報表示画面８１と検査画像表示画面８２とが別個のウィンドウとして表示されることとしてもよいし、別々のモニターにそれぞれ表示されることとしてもよい。
【００７５】
また、上記実施の形態では、端末装置４Ａが検査装置５Ａから検査画像の画像データを取り込む場合について説明したが、端末装置４Ａ，４Ｂ等が検査装置５Ａ，５Ｂ等から直接画像データを取り込まずに、他の装置を介して画像データを取り込むこととしてもよい。
【００７６】
以上の説明では、各処理を実行するためのプログラムを格納したコンピューター読み取り可能な媒体としてＨＤＤや不揮発性メモリーを使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００７７】
１  データ管理サーバー
２Ａ，２Ｂ  施設内システム
３Ａ，３Ｂ  医事会計システム
４Ａ，４Ｂ  端末装置
５Ａ，５Ｂ  検査装置
７Ａ，７Ｂ  施設内ネットワーク
１１  制御部
１２  操作部
１３  表示部
１４  通信部
１５  ＲＡＭ
１６  記憶部
４１  制御部
４２  操作部
４３  表示部
４４  通信部
４５  ＲＡＭ
４６  記憶部
４７  Ｉ／Ｆ
８１  カルテ情報表示画面
８２  検査画像表示画面
８３  前回カルテ情報表示画面
８４  カルテ情報入力画面
８５  スタンプ箱
８６  放射線タブ
８７  スタンプ
８８  検査内容表示領域
８９  取り込み状況表示領域
９０  サムネイル画像表示領域
１００  データ管理システム
１６１  センターＤＢ
４３１  医用情報表示画面
４３２  医用情報表示画面
４３３  医用情報表示画面
Ｎ  通信ネットワーク
Ｐ１  サーバープログラム
Ｐ２  アプリケーションプログラム
Ｔ１  検査−装置対応テーブル
【図１】
0005825063.tif 000002
【図２】
0005825063.tif 000003
【図３】
0005825063.tif 000004
【図４】
0005825063.tif 000005
【図５】
0005825063.tif 000006
【図６】
0005825063.tif 000007
【図７】
0005825063.tif 000008